(57)【要約】【課題】前進位置に移動されたブラシの回転操作に困難さをもたらさずに、使用姿勢とされたブラシが使用の際に前のめりに回転しないようにした掃除機用吸込み具を提供する。【解決手段】吸込み開口32を有した吸込み具本体31のガイド溝37に沿って前後に移動されるブラシ51が、前進位置でガイド溝37に係合した軸を中心に回転されてブラシ毛54を吸込み開口32から突出させたブラシ51の使用姿勢を、吸込み具本体31の保持凸部39を乗り越えたブラシ台52の係止凸部56の保持凸部39への係合と、吸込み具本体31の受け部33へのブラシ台52の係合により保持する。これらの係合によるブラシ51の保持状態で、吸込み開口52に沿う荷重方向へのブラシ51の移動を妨げるために、ブラシ台52に設けた突き当て部58を、吸込み具本体31の外面に設けたストッパ凸部40に係合させる。【選択図】      図１０
2006095227.tif 000002
【特許請求の範囲】
【請求項１】
一端部に吸込み開口及び保持凸部を有し、他端部を接続部とし、かつ、外面に前記一端部側から他端部側に延びるガイド溝を設けた筒状の吸込み具本体と、
ブラシ台に清掃部材を取付けてなるとともに、前記ブラシ台の内面に、前記ガイド溝内を摺動可能な軸及び前記保持凸部を乗り越え可能な係止凸部を設けて、前記接続部寄りの後退位置と前記吸込み開口寄りの前進位置とにわたって移動されるブラシとを具備し、
前記前進位置で前記ガイド溝の前記吸込み開口寄りの前端部に係合した前記軸を中心に回転されて、前記清掃部材を前記ガイド溝に対して所定角度の方向に延びるように配置するとともに前記吸込み開口から突出させて、前記ブラシが使用姿勢となり、この使用姿勢を、前記保持凸部を乗り越えた前記係止凸部の前記保持凸部への係合により保持する掃除機用吸込み具であって、
前記ブラシ台に突き当て部を設けるとともに、前記ブラシが前記使用姿勢に保持された状態で前記突き当て部に係合して前記清掃部材に沿う荷重方向への前記ブラシの移動を妨げるストッパ凸部を前記吸込み具本体の外面に設けた掃除機用吸込み具。
【請求項２】
一端部に吸込み開口及び保持凸部を有し、他端部を接続部とし、かつ、外面に前記一端部側から他端部側に延びるガイド溝を設けた筒状の吸込み具本体と、
ブラシ台に清掃部材を取付けてなるとともに、前記ブラシ台の内面に、前記ガイド溝内を摺動可能な軸及び前記保持凸部を乗り越え可能な係止凸部を設けて、前記接続部寄りの後退位置と前記吸込み開口寄りの前進位置とにわたって移動されるブラシとを具備し、
前記前進位置で前記ガイド溝の前記吸込み開口寄りの前端部に係合した前記軸を中心に回転されて、前記清掃部材を前記ガイド溝に対して所定角度の方向に延びるように配置するとともに前記吸込み開口から突出させて、前記ブラシが使用姿勢となり、この使用姿勢を、前記保持凸部を乗り越えた前記係止凸部の前記保持凸部への係合により保持する掃除機用吸込み具であって、
前記ブラシ台に突き当て部を設けるとともに、前記ブラシが前記使用姿勢に保持された状態で前記突き当て部に係合して前記清掃部材に沿う荷重方向への前記ブラシの移動を妨げるストッパ端面を前記保持凸部に設けた掃除機用吸込み具。
【請求項３】
一端部に吸込み開口及び保持凸部を有し、他端部を接続部とし、かつ、外面に前記一端部側から他端部側に延びるガイド溝を設けた筒状の吸込み具本体と、
ブラシ台に清掃部材を取付けてなるとともに、前記ブラシ台の内面に、前記ガイド溝内を摺動可能な軸及び前記保持凸部を乗り越え可能な係止凸部を設けて、前記接続部寄りの後退位置と前記吸込み開口寄りの前進位置とにわたって移動されるブラシとを具備し、
前記前進位置で前記ガイド溝の前記吸込み開口寄りの前端部に係合した前記軸を中心に回転されて、前記清掃部材を前記ガイド溝に対して所定角度の方向に延びるように配置するとともに前記吸込み開口から突出させて、前記ブラシが使用姿勢となり、この使用姿勢を、前記保持凸部を乗り越えた前記係止凸部の前記保持凸部への係合により保持する掃除機用吸込み具であって、
前記ブラシ台に第１の突き当て部と第２の突き当て部とを設け、
前記ブラシが前記使用姿勢に保持された状態で前記第１の突き当て部に係合して前記清掃部材に沿う荷重方向への前記ブラシの移動を妨げるストッパ凸部を前記吸込み具本体の外面に設けるとともに、前記ブラシが前記使用姿勢に保持された状態で前記第２の突き当て部に係合して前記清掃部材に沿う荷重方向への前記ブラシの移動を妨げるストッパ端面を前記保持凸部に設けた掃除機用吸込み具。
【請求項４】
電動送風機が内蔵された掃除機本体と、
請求項１から３の内のいずれか一項に記載の吸込み具と、
この吸込み具の接続部が着脱される吸込み管を有して前記掃除機本体に接続された吸込み風路体と
を具備した電気掃除機。
【発明の詳細な説明】
【技術分野】
【０００１】
本発明は、被掃除面の塵を掻き出すためのブラシを有する掃除機用吸込み具、及びこの吸込み具を備えた電気掃除機に関する。
【背景技術】
【０００２】
従来、吸塵ホースの先端部をなす手元操作パイプに着脱自在に取付けられる吸込み具を、吸込み具本体と、この本体の軸方向に沿って前後に移動可能としたブラシとから形成し、このブラシを前進位置で回転させることによって、吸込み具本体が有した斜状の吸込み開口からブラシ毛が突出する使用位置にブラシを保持して、ブラシ毛で被掃除面の塵を掻き出しながら吸込むことを可能とした掃除機用吸込み具が、本出願人により開発され既に出願済である（特願2003−400427。）。
【０００３】
詳しくは、図１４〜図１８に示すように吸込み具１は、筒状の吸込み具本体２とブラシ８とを具備している。吸込み具本体２は、その一端部に、斜状の吸込み開口３とともに受け部４を有している。更に、吸込み具本体２の一端部の両側外面には保持凸部５が夫々突設されている。吸込み具本体２の他端部は、吸込みホースの先端部に設けた手元操作パイプの先端に着脱自在に接続される接続部６として用いられるようになっている。この吸込み具本体２の両側外面には軸方向に延びるガイド溝７が夫々設けられている。ガイド溝７の前端部７ａ及び後端部７ｂは、これらの間の溝部分より深い円形凹部で形成されている。
【０００４】
ブラシ８は、吸込み具本体２に跨るように設けられるブラシ台９にブラシ毛１０を取付けてなる。図１４及び図１６に示すようにブラシ台９の内面には、ガイド溝７に沿って移動可能に係合される軸９ａが設けられているとともに、保持凸部５を乗り越え可能な係止凸部９ｃが設けられている。このブラシ８は、その軸９ａをガイド溝７にスライドさせることによって、図１５及び図１８（Ａ）に示す接続部６寄りの後退位置と、図１８（Ｂ）に示す吸込み開口３寄りの前進位置とにわたって移動できる。このため、ブラシ８を後退位置に配置した状態で吸込み具１を前記手元操作パイプに接続して使用する状態では、吸込み開口３側部位をブラシ８に邪魔されることなく狭い隙間に差し込んで掃除ができる。
【０００５】
前進位置にブラシ８が配置されたときに軸９ａはガイド溝７の前端部７ａに嵌りこむ。この状態ではブラシ８は図１８（Ｃ）中矢印Ｘ方向に軸９ａを中心に手で回転できる。この回転の最終段階で、係止凸部９ｃが保持凸部５を乗り越えてこの保持凸部５に係合すると同時に、ブラシ台９が受け部４に係合してそれ以上の回転を阻止されて図１８（Ｄ）に示す使用姿勢となる。この使用姿勢ではブラシ毛１０が吸込み開口３から突出した状態となり、この状態の吸込み具１を前記手元操作パイプに接続して使用することにより、ブラシ毛１０で被掃除面の塵を掻き出しながら掃除することができる。この掃除中でのブラシ８の使用姿勢は、保持凸部５を接続部６側から乗り越えた係止凸部９ｃが、保持凸部５に吸込み開口３側から係合していることにより、保持されている。
【０００６】
使用位置のブラシ８を後退位置に戻すには、まず、吸込み開口３側から係止凸部９ｃを保持凸部５に乗り越えさせながら、ブラシ８を手で図１８（Ｄ）中矢印Ｙ方向に回転させることによって、図１８（Ｂ）に示した状態とした後に、ブラシ８を接続部６側に押圧移動させることによって図１８（Ａ）に示す後退位置に配置できる。
【０００７】
以上のブラシ８の移動及び回転において、軸９ａがガイド溝７の前端部７ａ又は後端部７ｂに挿脱する際には、ブラシ台９の互いに略平行な側壁の弾性変形が利用され、保持凸部５を係止凸部９ｃが乗り越える際には、ブラシ台９の前記弾性変形とともに吸込み具本体２の吸込み開口３回りの両側壁の弾性変形が利用される。なお、図１４及び図１５中符号９ｂはブラシ台９と一体の摘み部で、ここに指をかけてブラシ８の移動及び回転操作がなされる。
【発明の開示】
【発明が解決しようとする課題】
【０００８】
前記先行出願に記載の発明では、前進位置でのブラシ８の回転操作が困難とならないように、乗り越え方向に沿う保持凸部５及び係止凸部９ｃの断面はいずれも先細状に形成されている。そのための斜面を図１６に符号９ｄで示す。このため、実使用において吸込み開口３に沿うようにブラシ８に作用する荷重（この荷重の方向を図１８（Ｄ）中矢印Ｚで示す。）に対して、使用姿勢にブラシ８を保持する性能が十分に発揮されない恐れがある。
【０００９】
すなわち、実使用において吸込み具１を被掃除面に沿って前進させる時に、ブラシ８が矢印Ｚ方向の荷重を受けて、その係止凸部９ｃが保持凸部５に乗り上がるに伴って、ブラシ台９の互いに略平行な側壁が開くように弾性変形されるので、軸９ａがガイド溝７の前端部７ａから外れ易くなる。このため、矢印Ｚ方向の荷重の大きさによっては、軸９ａがガイド溝７の前端部７ａから外れてガイド溝７の後端部７ｂ側に向けて移動されるとともに、係止凸部９ｃが保持凸部５を乗り越えることが考えられる。このような状況に至ると、ブラシ台９が前のめりに回転するので、実使用上不便である。
【００１０】
この点は、保持凸部５と係止凸部９ｃの高さを高くすることで、或いは、これら凸部の断面を先細状ではなく矩形とする技術手段で解決できる。しかし、このようにすると、使用者がブラシ８を回転させる際にも、係止凸部９ｃが保持凸部５を乗り越えることがきわめて困難となるので、これらの技術手段は実際的ではない。
【００１１】
本発明が解決しようとする課題は、前進位置に移動されたブラシの回転操作に困難さをもたらさずに、使用姿勢とされたブラシが使用の際に前のめりに回転しないようにした掃除機用吸込み具及び電気掃除機を提供することにある。
【課題を解決するための手段】
【００１２】
前記課題を解決するために本発明は、吸込み開口を有した吸込み具本体のガイド溝に沿って前後に移動されるブラシが、前進位置でガイド溝に係合した軸を中心に回転されて清掃部材を吸込み開口から突出させた前記ブラシの使用姿勢を、吸込み具本体の保持凸部を乗り越えたブラシ台の係止凸部の保持凸部への係合により保持し、かつ、このブラシの保持状態で、ブラシ台に設けた突き当て部を、吸込み具本体の外面に設けたストッパ凸部に係合させて、清掃部材に沿う荷重方向へのブラシの移動を妨げるようにしている。
【発明の効果】
【００１３】
本発明によれば、前進位置に移動されたブラシの回転操作に困難さをもたらさずに、前進位置で使用姿勢とされたブラシが使用の際に前のめりに回転しないようにした掃除機用吸込み具及び電気掃除機を提供できる。
【発明を実施するための最良の形態】
【００１４】
図１〜図１３を参照して本発明の一実施形態を説明する。
【００１５】
図１中符号１１で示す電気掃除機は、掃除機本体１２．吸込み風路体１３、吸込み口体１４、及び吸込み具１５を備えている。掃除機本体１２にはその内部の集塵室１２ａに吸込み負圧を作用させる電動送風機１６が内蔵されている。
【００１６】
吸込み風路体１３は、一端部を集塵室１２ａに連通させて掃除機本体１２に着脱可能に接続され、他端部に手元操作パイプ２１を有した可撓性の吸塵ホース２２と、手元操作パイプ２１に着脱自在に接続された延長管２３とを備えている。延長管２３には例えば２段伸縮式のものが使用されている。吸込み口体１４は、床面などの掃除に適するように幅方向に延びる横長の吸込み開口（図示しない）を有したものであって、その回動自在な接続管１４ａが延長管２３の先端部に着脱可能に接続されている。
【００１７】
延長管２３が外された手元操作パイプ２１は、その先端部２１ｃ（図２参照）に吸込み具１５が着脱自在に接続される吸込み管として機能する。更に、この手元操作パイプ２１にはハンドル部２１ａが突設され、このハンドル部２１ａには電動送風機１６の運転を制御する各種のスイッチを設けた操作パネル２１ｂが取付けられている。図２に示すように手元操作パイプ２１の前部下側には支持突部２４が一体に設けられているとともに、手元操作パイプ２１の後部下側には係止爪２５が一体に突設されている。
【００１８】
手元操作パイプ２１の下方に配置された吸込み具１５は、図３等に示すように筒状の吸込み具本体３１と、ブラシ５１とを具備している。
【００１９】
合成樹脂の成形品からなる吸込み具本体３１は、サッシ等の掃除に適した隙間用ノズルであって、手元操作パイプ２１の前端部内に着脱自在に嵌合される断面円筒形の接続部３１ａと、この一端に湾曲状の側壁部（図７参照）等を介して一体に連なる扁平状のノズル部３１ｂとを有している。ノズル部３１ｂの先端部、つまり、接続部３１ａとは反対側の端部には、斜状の吸込み開口３２が形成されているとともに、受け部３３が設けられている。受け部３３は吸込み開口３２の一部を区画した壁部によって形成され、少し外側に突出している。ノズル部３１ｂの吸込み開口３２にかからない部位の断面（詳しくは、ノズル部３１ｂが延びる方向と直交する方向の断面）は、矩形枠状をなしている。ノズル部３１ｂの両側壁の先端部は吸込み開口３２があることによって弾性変形が可能である。なお、図３中符号３４はノズル部３１ｂの根元に設けられた吸気口３４を示し、これは風量調整用開口として形成されている。
【００２０】
ノズル部３１ｂの先端部には、吸込み開口３２を境に受け部３３と反対側に爪受け部３５（図３参照）が設けられている。接続部３１ａには一対の取付け片３６が一体に突設されている。これら取付け片３６の夫々には接続部３１ａの軸線と平行に延びるスリット
３６ａが設けられている。取付け片３６の先端部を弾性力に抗して開きながら、それらの間に支持突部２４を配置することができ、この配置に伴って支持突部２４の側面に突設された図示しない凸部がスリット３６ａに挿入される。これにより、吸込み具１５は、前記凸部を支点に回動自在で、かつ、スリット３６ａの長さ範囲で前後方向に移動可能に支持突部２４に支持される。
【００２１】
支持突部２４に接続された吸込み具１５は、手元操作パイプ２１の下側に配置されて、その爪受け部３５に係止爪２５が引っ掛けられることにより、図２中実線で示す格納位置に保持される。そして、係止爪２５から爪受け部３５を外して、接続部３１ａが手元操作パイプ２１の前側に対向するように吸込み具１５を前側に略180度回転させ、この状態で、スリット３６ａを利用して吸込み具１５を後退させることにより、手元操作パイプ２１の先端部２１ｃに接続部３１ａを接続できる。これにより、図２中二点鎖線で示すように吸込み具１５を使用位置に配置できる。
【００２２】
ノズル部３１ｂの両側壁外面には、図３、図７、図８などに示すようにガイド溝３７が夫々設けられている。ガイド溝３７は吸込み具本体３１の軸方向に延びていて、その前端部３７ａ及び後端部３７ｂは円形状ないしは長円形状をなして窪んでいる。ガイド溝３７の前端部３７ａは吸込み開口３２の近傍に位置している。
【００２３】
更に、ノズル部３１ｂの両側壁外面には、吸込み開口３２の近傍に位置してＬ形状凸部３８が一体に突設されている。このＬ形状凸部３８は、保持凸部３９と、この保持凸部３９の端部に一体に連続したストッパ凸部４０とからなり、ガイド溝３７を境に受け部３３とは反対側に設けられている。
【００２４】
保持凸部３９は、図８などに示すように斜状の吸込み開口３２と略平行に、言い換えれば吸込み具本体３１の軸線に対して斜めに交差する方向に沿うように延びて設けられている。保持凸部３９の長手方向に直交する両側面は互いに逆方向に傾斜されて、それにより保持凸部３９は先細状をなしている。この保持凸部３９のガイド溝３７側の端面はストッパ面３９ａ（図８及び図１２参照）に形成され、このストッパ面３９ａはノズル部３１ｂの側壁外面に対して直角状に起立している。
【００２５】
ストッパ凸部４０は、保持凸部３９の前記爪受け部３５側端部に一体に連続して、保持凸部３９に対して直角状に設けられている。このストッパ凸部４０のガイド溝３７側の面はストッパ面４０ａ（図８及び図１３参照）に形成され、このストッパ面４０ａはノズル部３１ｂの側壁外面に対して直角状に起立している。なお、本発明において、ストッパ凸部４０は保持凸部３９とは非連続に突設することもできる。
【００２６】
図３、図９、図１０等に示すようにブラシ５１は、合成樹脂製のブラシ台５２に清掃部材として例えばブラシ毛５４を取付けてなる。ブラシ台５２は、互いに向かい合った一対の台側壁５２ａの一端を台連結壁５２ｂで一体に連結したＵ字形状をなしている。台側壁５２ａにはブラシ５１の移動及び回転操作を容易にするための半円状の摘み部５３が一体に設けられている。一対の台側壁５２ａは台連結壁５２ｂを支点に弾性変形可能である。台連結壁５２ｂはブラシ５１を使用姿勢に保持するための前記受け部３３への係合部として用いられる。ブラシ毛５４は、一対の台側壁５２ａ及び台連結壁５２ｂにわたって取付けられていて、摘み部５３とは反対向きに突出されている。
【００２７】
図５及び図９に示すように短い軸５５が、一対の台側壁５２ａの対向面（内面）には一体に突設されている。これらの軸５５はガイド溝３７に摺動自在に嵌合する径に形成されている。
【００２８】
台連結壁５２ｂから遠ざかった台側壁５２ａの自由端部の内面（対向面）には、図９及び図１１に示すように係止凸部５６と、この両側に位置する逃げ溝５７ａ，５７ｂが設けられている。係止凸部５６の両側面は図９に示すように互いに逆方向に傾斜していて、それにより係止凸部５６は先細状に形成されている。小さい方の逃げ溝５７ａはブラシ台５２の内面だけではなく台側壁５２ａの周面にも開放され、大きい方の逃げ溝５７ｂはブラシ台５２の内面だけではなく摘み部５３の周面にも開放されている。
【００２９】
逃げ溝５７ａ，５７ｂに対して凸部をなした係止凸部５６の端面は、前記ストッパ面４０ａに当接可能な突き当て部５８として用いられるようになっている。この突き当て部５８は図１３に示すように平らな面からなる。又、逃げ溝５７ｂの奥面は、前記ストッパ面３９ａに当接可能な突き当て部６０として用いられるようになっている。この突き当て部６０は図１２に示すように平らな面からなる。
【００３０】
一対の台側壁５２ａの対向面（内面）には、その根元部側（台連結壁５２ｂ側）に寄せて図９に示すように通し溝５９が形成されている。通し溝５９は、直線状に延びており、その一端は台側壁５２ａのブラシ毛５４が突出した面に開放され、他端は摘み部５３の周面に開放している。
【００３１】
前記構成のブラシ５１は、吸込み具本体３１のノズル部３１ｂに跨がって配置され、この組立て状態で軸５５がガイド溝３７に嵌合されている。
【００３２】
吸込み具１５が前記格納位置に設けられる場合、ブラシ５１は図４（Ａ）に示すようにブラシ５１を後退位置に配置させた状態に保持される。この場合、ブラシ５１は、ブラシ毛５４を接続部３１ａに向けた状態で、この接続部３１ａに寄せることによって、軸５５をガイド溝３７の後端部３７ｂに嵌合して位置決めされ、この状態で一対の台側壁５２ａが弾性力でノズル部３１ｂを挟んで、前記後退位置に保持される。
【００３３】
吸込み具１５の使用形態は二通り選択できる。第１の使用形態では、吸込み具本体３１に対してブラシ５１を図４（Ａ）に示した状態に保持したまま、図２中二点鎖線で示すように手元操作パイプ２１の先端部２１ｃに嵌合接続して使用する。この使用においては、ノズル部３１ｂを狭い隙間に挿入する場合に、後退位置に保持されているブラシ５１が邪魔になり難いので、狭い場所にノズル部３１ｂを深く挿入して掃除するのに好適である。
【００３４】
第２の使用形態では、図４（Ａ）の状態から図４（Ｂ）（Ｃ）の状態を経て、図４（Ｄ）のようにブラシ毛５４がガイド溝27に対して斜状に沿うように配列させてブラシ５１を使用位置に配置した上で、吸込み具１５を手元操作パイプ２１の先端部に嵌合することによって接続して使用する。
【００３５】
図４（Ａ）の状態から図４（Ｂ）の状態とするには、ブラシ５１の摘み部５３に指をかけてブラシ５１を前側（吸込み開口３２側）に引き動かせばよい。これにより、ガイド溝３７の後端部３７ｂから外れた軸５５が、ガイド溝３７に沿って前側に摺動してから、このガイド溝３７の前端部３７ａに嵌合されて、ブラシ５１が前進位置に位置決めされる。ノズル部３１ｂの前部は後部に対して多少幅が狭くなっているので、前記位置決め状態では、ブラシ５１の台側壁５２ａはノズル部３１ｂに圧接してはおらず、このブラシ５１は軸５５を中心に自由回転できる状態にある。
【００３６】
この状態で、図４（Ｃ）中矢印Ｆに示すようにブラシ５１をその軸５５を中心に手で回転させることにより、図４（Ｄ）に示すようにブラシ５１を使用位置に保持できる。つまり、矢印Ｆ方向に沿うブラシ５１の回転の最終段階で、逃げ溝５７ａが保持凸部３９を通過し、その直後に係止凸部５６が保持凸部３９を乗り越えて、保持凸部３９が逃げ溝５７ｂ内に配置される。そして、既述のように係止凸部５６が保持凸部３９を乗り越えると同時に、ブラシ５１の台連結壁５２ｂが受け部３３に当たって、それ以上のブラシ５１の回転が阻止されるので、保持凸部３９にこれを乗り越えた係止凸部５６が引っ掛かった状態となる。したがって、これら保持凸部３９と係止凸部５６との引っ掛かり（係合）により、ブラシ５１が矢印Ｆと反対方向に回転されることも妨げられ、それにより、図４（Ｄ）に示すようにブラシ毛５４が吸込み開口３２より前方に突出した状態にブラシ５１が保持される。なお、台側壁５２ａ及びノズル部３１ｂの両側壁の内の少なくとも一方は、係止凸部５６が保持凸部３９を乗り越える際には、多少弾性変形する。
【００３７】
以上のようにブラシ５１が使用位置に保持された状態で、図１２に示すように逃げ溝５７ｂの奥面からなる突き当て部６０は、保持凸部３９のストッパ面３９ａに近接ないしは軽微に接触する。これとともに、図１３に示すように係止凸部５６の端面からなる突き当て部５６は、ストッパ凸部４０のストッパ面４０ａに近接ないしは軽微に接触する。
【００３８】
ブラシ５１を図４（Ｄ）に示す使用姿勢とした状態で吸込み具１５が使用される場合には、ブラシ毛５４で被掃除面の塵を掻き出しつつ、それを吸込み開口３２で吸込みながら掃除をすることができる。
【００３９】
この掃除において、吸込み具１５を被掃除面に沿って前進させる場合、被掃除面に向けてブラシ５１に加えられる力によってブラシ５１は、前にのめろうとして、吸込み開口３２に沿うように図１０中矢印Ｇで示す荷重方向に移動しようとする。この場合、ブラシの突き当て部５８が、Ｌ形状凸部３８が有したストッパ凸部４０のストッパ面４０ａに直ちに当たる。特に、本実施形態では、ガイド溝３７の前端部３７ａとストッパ凸部４０とを結ぶ直線Ｑ（図１０参照）が延びる方向と、前記矢印Ｇで表されるブラシ５１に対する荷重方向とが略一致しているので、より確実に突き当て部５８がストッパ面４０ａに当たる。
【００４０】
これにより、係止凸部５６と保持凸部３９との係合状態を維持できる。しかも、前記突き当て部５８とストッパ凸部４０との係合だけではなく、ブラシ５１の突き当て部６０も、保持凸部３９のストッパ面３９ａに当たるので、この係合箇所においても係止凸部５６と保持凸部３９との係合状態を維持できる。
【００４１】
以上のように被掃除面に沿って前進される使用姿勢の吸込み具１５のブラシ５１が矢印Ｇ方向の荷重を受けても、前記係合状態によって得られるストッパ作用が維持されて、係止凸部５６が保持凸部３９に乗り上がることを防止できる。このため、ブラシ台５２の互いに略平行な台側壁５２ａが開くように弾性変形されることに伴って、軸５５が、ガイド溝３７の前端部３７ａから外れるとともに、その直後にガイド溝３７の後端部３７ｂ側に向けて移動されることがない。したがって、ブラシ５１が前のめりに回転しようとする動きを、より確実に防止して吸込み具１５を使用できる。
【００４２】
そして、以上のように不用意なブラシ５１の回転を防止するために、ブラシ５１の回転方向とは異なる方向に突き当て部５８とストッパ凸部４０とを当接させるので、殊更、保持凸部３９と係止凸部５６の高さを高くする必要がなく、又、これら保持凸部３９と係止凸部５６の断面を先細状ではなく矩形として乗り越え難くする必要もない。このため、前進位置に移動されたブラシ５１の回転操作に支承をきたすこともない。
【００４３】
更に、ガイド溝３７の前端部３７ａに嵌合された軸５５を中心とするブラシ５１の回転軌跡から外れているストッパ凸部４０は、手でブラシ５１が繰り返し回転されても摩耗することがないので、長期間にわたり既述のストッパ作用を維持できる。したがって、ブラシ５１の回転が繰り返されるに伴い、保持凸部３９と係止凸部５６とが摩耗して、ブラシ５１を使用状態に保持する性能が低下した場合においても、前記ストッパ作用によって、使用姿勢のブラシ５１が前のめりに回転しようとする動きを防止できる。
【００４４】
又、使用姿勢のブラシ５１を図４（Ｂ）の状態に戻すには、前記矢印Ｆと反対方向に手でブラシ５１を回転させればよく、この場合、突き当て部５８がストッパ凸部４０に触れるとしても、それは軽微であり、同様に突き当て部６０がストッパ面３９ａに触れるとしても、それは軽微である。このため、ブラシ５１をその軸５５を中心に反矢印Ｆ方向に回転させることができる。そして、図４（Ｂ）の状態からブラシ５１を接続部３１ａに向けて押し込むことにより、図４（Ａ）に示すようにブラシ５１を後退位置に配置できる。この後退位置へのブラシ５１の移動において、ブラシ５１の移動軌跡内にＬ形状凸部３８が位置されるが、通し溝５９によってＬ形状凸部３８を避けることができるので、ブラシ５１の後退位置方向への移動が困難となったり、Ｌ形状凸部３８が摩耗することがない。
【００４５】
なお、本発明は前記一実施形態には制約されない。例えば、突き当て部５８及びストッパ凸部４０によるブラシ５１の荷重方向への動きを止める構造と、突き当て部６０と保持凸部３９のストッパ面３９ａによるブラシ５１の荷重方向への動きを止める構造との内のいずれか一方は省略してもよい。
【００４６】
又、突き当て部５８及びストッパ凸部４０によるブラシ５１の荷重方向への動きを止める構造において、突き当て部５８は、摘み部５３に設けることも可能であり、この場合、図１０に示すようにブラシ５１が使用姿勢に位置決めされた状態で、ガイド溝３７より下側の位置に突き当て部５８及びストッパ凸部４０を設けて実施することが好ましい。
【００４７】
又、本発明は手元操作パイプ２１に着脱自在に接続される吸込み具だけではなく、例えば延長管２３を吸込み管として用いて、吸込み口体１４が外された延長管２３の先端部に着脱自在に接続される吸込み具であってもよい。更に、吸込み具１５は、手元操作パイプ２１や延長管２３等の吸込み管に保持されるものには制約されず、吸込み管から分離した状態で保管される吸込み具であってもよい。又、吸込み具１５は、隙間用ノズルに制約されず、それ以外のものであってもよい。
【図面の簡単な説明】
【００４８】
【図１】本発明の一実施形態に係る電気掃除機を示す斜視図。
【図２】図１の電気掃除機が備える手元操作パイプまわりを示す側面図。
【図３】図１の電気掃除機が備える吸込み具を分解して示す斜視図。
【図４】（Ａ）〜（Ｄ）は図３の吸込み具のブラシが後退位置から前進位置で使用姿勢になるまでの動作を順に示した吸込み具の側面図。
【図５】図３の吸込み具をそのブラシが後退位置にある状態で示す正面図。
【図６】図３の吸込み具の前端部をブラシが使用姿勢にある状態でブラシ毛を取除いて示す下面図。
【図７】図４（Ａ）中Ｆ７−Ｆ７線に沿って吸込み具を断面して示す斜視図。
【図８】図３の吸込み具が備える吸込み具本体の前端部を拡大して示す側面図。
【図９】図３中のＦ９−Ｆ９線に沿ってブラシを断面して示す斜視図。
【図１０】図３の吸込み具の前端部をそのブラシが使用姿勢にある状態で示す側面図。
【図１１】図１０中のＦ１１−Ｆ１１線に沿って示す断面図。
【図１２】図１０中のＦ１２−Ｆ１２線に沿って示す断面図。
【図１３】図１０中のＦ１３−Ｆ１３線に沿って示す断面図。
【図１４】従来に係る吸込み具を示す斜視図。
【図１５】従来に係る吸込み具を示す正面図。
【図１６】従来に係る吸込み具が備えるブラシを示す断面図。
【図１７】従来の吸込み具の前端部をそのブラシ毛を取除いた状態で示した下面図。
【図１８】（Ａ）〜（Ｄ）は従来の吸込み具のブラシが後退位置から前進位置で使用姿勢になるまでの動作を順に示した吸込み具の側面図。
【符号の説明】
【００４９】
１１…電気掃除機、１２…掃除機本体、１３…吸込み風路体、１５…吸込み具、２１…手元操作パイプ（吸込み管）、２３…延長管（吸込み管）、３１…吸込み具本体、３１ａ…接続部、３１ｂ…ノズル部、３２…吸込み開口、３３…受け部、３７…ガイド溝、３７ａ…ガイド溝の前端部、３７ｂ…ガイド溝の後端部、３８…Ｌ形状凸部、３９…保持凸部、３９ａ…ストッパ面、４０…ストッパ凸部、４０ａ…ストッパ面、５１…ブラシ、５２ブラシ台、５２ｂ…台連結部（係合部）、５４…ブラシ毛（清掃部材）、５５…軸、５６…係止凸部、５８…突き当て部、６０…突き当て部
【図１】
2006095227.tif 000003
【図２】
2006095227.tif 000004
【図３】
2006095227.tif 000005
【図４】
2006095227.tif 000006
【図５】
2006095227.tif 000007
【図６】
2006095227.tif 000008
【図７】
2006095227.tif 000009
【図８】
2006095227.tif 000010
【図９】
2006095227.tif 000011
【図１０】
2006095227.tif 000012
【図１１】
2006095227.tif 000013
【図１２】
2006095227.tif 000014
【図１３】
2006095227.tif 000015
【図１４】
2006095227.tif 000016
【図１５】
2006095227.tif 000017
【図１６】
2006095227.tif 000018
【図１７】
2006095227.tif 000019
【図１８】
2006095227.tif 000020